(57)【特許請求の範囲】
【請求項１】
対物レンズを搭載するプラスチック材からなるホルダが駆動コイルのボビンを兼ね、上記ホルダに上記対物レンズを配置し、上記ホルダがサスペンションに支持されて２軸方向に移動可能とされている２軸アクチュエータを有する光ピックアップ装置において、
上記ホルダの両側面部と上記対物レンズとの間のホルダ部分に貫通するスリット孔を形成し、
上記ホルダの両側面部と上記対物レンズを搭載したホルダ部分とが上記ホルダの両側面部に発生する２次共振による振動の節の部分で連接され、上記スリット孔が上記節に近接する孔長さを有していることを特徴とする光ピックアップ装置。
【請求項２】
対物レンズを搭載するプラスチック材からなるホルダが駆動コイルのボビンを兼ね、上記ホルダに上記対物レンズを配置し、上記ホルダがサスペンションに支持されて２軸方向に移動可能とされている２軸アクチュエータを有する光ピックアップ装置において、
上記ホルダの両側面部と上記対物レンズとの間のホルダ部分に貫通するスリット孔を形成し、
上記スリット孔が上記ホルダの両側面部に発生する２次共振による振動の腹の中心部に対応して設けられていることを特徴とする光ピックアップ装置。
【請求項３】
対物レンズを搭載するプラスチック材からなるホルダが駆動コイルのボビンを兼ね、上記ホルダに上記対物レンズを配置し、上記ホルダがサスペンションに支持されて２軸方向に移動可能とされている２軸アクチュエータを有し、光ディスクに向けて上記対物レンズからレーザ光を照射して記録／再生動作を行う記録／再生装置において、
上記ホルダの両側面部と上記対物レンズとの間のホルダ部分に貫通するスリット孔を形成し、上記ホルダの両側面部と上記対物レンズを搭載したホルダ部分とが上記ホルダの両側面部に発生する２次共振による振動の節の部分で連接され、上記スリット孔が上記節に近接する孔長さを有していることを特徴とする記録／再生装置。
【請求項４】
対物レンズを搭載するプラスチック材からなるホルダが駆動コイルのボビンを兼ね、上記ホルダに上記対物レンズを備え、上記ホルダがサスペンションに支持されて２軸方向に移動可能とされている２軸アクチュエータを有し、光ディスクに向けて上記対物レンズからレーザ光を照射して記録／再生動作を行う記録／再生装置において、
上記ホルダの両側面部と上記対物レンズとの間のホルダ部分に貫通するスリット孔を形成し、上記スリット孔が上記ホルダの両側面部に発生する２次共振による振動の腹の中心部に対応して設けられていることを特徴とする記録／再生装置。
【発明の詳細な説明】
【０００１】
【発明の属する技術分野】
本発明は、光ディスク等の記録情報媒体を記録／再生動作するための超小型化された２軸アクチュエータを有する光ピックアップ装置及び記録／再生装置に関し、詳しくは、対物レンズ及び駆動コイルを搭載している２軸アクチュエータのホルダにスリット孔を形成したことによって、ホルダの２次共振による振動が対物レンズに伝わらないようにしたものである。
【０００２】
【従来の技術】
図３にサスペンション方式の２軸アクチュエータの平面図を示す。
ホルダを符号３１で示す。ホルダ３１は駆動コイルのボビンを兼用しており、ホルダ３１の周囲に図示しないフォーカスコイルが巻装されている。また、ホルダ３１の前、後両面に２つに分別されて巻装された状態でトラッキングコイル３２，３３が設けられ、フォーカスコイル及びトラッキングコイルのそれぞれのコイル端がホルダ３１の側部に設けた上下一対ずつの４つのコイル端子３４，３４（下部のコイル端子は図示省略）に引き出されている。また、ホルダ３１の中心部に対物レンズ３５が搭載されている。
【０００３】
また、ホルダ３１は上下一対ずつの４本のワイヤからなるサスペンション３６，３６の先端部が固定部３７，３７（いずれも下部のサスペンション及び固定部は図示省略）に固定され、サスペンションの基端部は固定ブロック３８に固定されている。従って、ホルダ３１は４本のサスペンションによって水平に吊られた状態で保持される。
【０００４】
このように構成した２軸アクチュエータは、ホルダ３１の前後２つの空間部に図示しないピックアップ本体部から立設するヨーク３９，４０が配置されると共に、トラッキングコイル３２，３３のそれぞれの前面側にマグネット４１，４２を取り付けたヨーク４３，４４が配置されている。
【０００５】
上述した２軸アクチュエータは、フォーカスコイル及びトラッキングコイルにフォーカスサーボ信号及びトラッキングサーボ信号が給電されることで、電磁作用によりホルダ３１と共に対物レンズ３５がフォーカス駆動及びトラッキング駆動され、対物レンズ３５から照射されるレーザー光が図示しないディスク上のピットに反射され、その反射光が電気信号に変換されディスクの記録／再生動作が行われる。
【０００６】
【発明が解決しようとする課題】
ところで、２軸アクチュエータは高速駆動することからホルダに２次共振による振動が発生する。この２次共振の振動のメカニズムを図４に示したホルダの平面図を参照して説明すると、２次共振はホルダ３１の両側面部３１ａ，３１ａに最も発生し、両側面部３１ａ，３１ａが点線で示したように内外方向に大きく波打つ共振振動ａとなる。この振動ａがホルダ３１の両側面部３１ａ，３１ａから対物レンズ３５に振動ｂとなって伝わることになり、これが対物レンズ３５のサーボ動作に好ましくない影響を及ぼすことになる。
【０００７】
これを解消する方法としてホルダの構造を強固にし、ホルダの共振周波数を例えば３０ｋHZ以上に高く設計してやるといった方法がとられていたが、この方法は技術的に難しく、また、ホルダの構造を使用するプラスチック材の選定を含めて強くすることは２軸アクチュエータの重量が増加することになるので、逆に感度が低下するといった問題もある。従って、ホルダをプラスチック材以外の軽い金属材で構成することが考えられるが、軽量化された２軸アクチュエータの場合にはホルダの２次共振を３０ｋHZ以上に設計しようとすることは技術的に非常に難しい。
【０００８】
本発明は、上述したような課題を解消するためになされたもので、ホルダをプラスチック材から構成し、ホルダに発生する２次共振の振動を対物レンズに伝わらないようにした超小型の２軸アクチュエータを有する光ピックアップ装置及び記録／再生装置を得ることを目的とする。
【０００９】
【課題を解決するための手段】
上述の目的を達成するため、本発明による光ピックアップ装置は、ホルダの両側面部と対物レンズとの間のホルダ部分に貫通するスリット孔を形成し、ホルダの両側面部と対物レンズを搭載したホルダ部分とがホルダの両側面部に発生する２次共振による振動の節の部分で連接され、スリット孔が節に近接する孔長さを有するようにしたものである。
また、本発明による光ピックアップ装置は、ホルダの両側面部と対物レンズとの間のホルダ部分に貫通するスリット孔を形成し、スリット孔がホルダの両側面部に発生する２次共振による振動の腹の中心部に対応して設けられるようにしたものである。
さらに、本発明による記録／再生装置は、ホルダの両側面部と対物レンズとの間のホルダ部分に貫通するスリット孔を形成し、ホルダの両側面部と上記対物レンズを搭載したホルダ部分とが上記ホルダの両側面部に発生する２次共振による振動の節の部分で連接され、上記スリット孔が上記節に近接する孔長さを有するようにしたものである。
さらにまた、本発明による記録／再生装置は、ホルダの両側面部と対物レンズとの間のホルダ部分に貫通するスリット孔を形成し、スリット孔がホルダの両側面部に発生する２次共振による振動の腹の中心部に対応して設けられるようにしたものである。
【００１０】
このように構成したことによって、本発明による光ピックアップ装置は、ホルダの両側面部が２次共振の腹となって振動が発生するが、スリット孔によってホルダの両側面部には殆ど振動しない節が生じることから、この節の部分と対物レンズを搭載しているホルダ部分とを連接するようにしたことによって、対物レンズ側へ共振による振動は伝わることがない。
また、本発明による光ピックアップ装置は、ホルダの両側面部が２次共振の腹となって振動が発生するが、この振動がスリット孔によって遮断され、対物レンズ側のホルダへの振動の伝わりを防止することができる。
さらに、本発明による記録／再生装置は、ホルダの両側面部が２次共振の腹となって振動が発生するが、スリット孔によってホルダの両側面部には殆ど振動しない節が生じることから、この節の部分と対物レンズを搭載しているホルダ部分とを連接するようにしたことによって、対物レンズ側へ共振による振動は伝わることがない。
さらにまた、本発明による記録／再生装置は、ホルダの両側面部が２次共振の腹となって振動が発生するが、この振動がスリット孔によって遮断され、対物レンズ側のホルダへの振動の伝わりを防止することができる。
【００１１】
【発明の実施の形態】
以下、本発明による光ピックアップ装置の２軸アクチュエータの実施の形態を超小型の２軸アクチュエータを例にとって図面を参照して説明する。
【００１２】
図１に本例による光ピックアップ装置におけるサスペンション方式の２軸アクチュエータの組み立て状態の斜視図を示し、図２にホルダの２次共振のメカニズムを示す。
【００１３】
図１において、２軸アクチュエータの全体を符号１で示す。ホルダ２は駆動コイルのボビンを兼用しており、ホルダは軽量で耐衝撃性を有するプラスチック材から成形されている。ホルダ２の周囲にはフォーカスコイル３が巻装されており、ホルダ２の前、後両面のコア４，４に２つに分別されて巻装された状態でトラッキングコイル５，５が設けられている。フォーカスコイル３及びトラッキングコイル５，５のそれぞれのコイル端はホルダ２の側部に設けた上下一対ずつの４つのコイル端子６，６及び７，７に引き出されている。そして、ホルダ２の中心部に対物レンズ８が搭載されている。
【００１４】
ホルダ２は上下一対ずつの４本のワイヤからなるサスペンション９，９及び１０，１０の各先端部が固定アーム１１，１１に固定されると共に、サスペンションの各端部がコイル端子６，６及び７，７に導電接続されている。サスペンションの基端部は固定ブロック１２に設けられたダンパ部材１３，１３を通り、各サスペンション９，９及び１０，１０は固定ブロック１２の背面側に設けた図示しない給電端子に導電接続されている。これによって、ホルダ２は４本のサスペンションによって水平に吊られた状態で保持されている。
【００１５】
さて、上述した２軸アクチュエータは従来例で説明した図３の２軸アクチュエータの構成と同一であるが、本発明が従来例と異なる部分は図２に示すようにホルダ２の両側面部２ａ，２ａと対物レンズ８を搭載しているホルダ部分との間に貫通するスリット孔１４，１４を形成したことにある。つまり、ホルダ２の両側面部２ａ，２ａは２次共振による振動が内外方向に波打つ、いわゆる共振の腹の部分ａとなり、この共振の腹の部分ａに対応するようにスリット孔が形成されている。
【００１６】
また、ホルダ２の両側面部２ａ，２ａには殆ど２次共振による振動の生じない、いわゆる節２ｂ，２ｂが有り、この節２ｂ，２ｂに接近する部分にまでスリット１４が形成されている。また、この節２ｂ，２ｂがホルダ２の両側面部２ａ，２ａと対物レンズ８を搭載したホルダ部分との連接部分となる。
【００１７】
すなわち、本発明ではホルダ２の両側面部２ａ，２ａが２次共振の腹となって振動ａが発生したとしても、この振動ａはスリット孔１４によって遮断され、対物レンズ８側への振動の伝わりを効果的に減少させることができる。しかも、２次共振の節２ｂ，２ｂは振動の殆ど発生しない部分であるから、この節２ｂ，２ｂから対物レンズ８側へ振動が伝わることも少ない。これによって、対物レンズ８には極めて小さな振動成分が生じるだけであり、この振動成分は対物レンズの記録／再生動作に何ら影響を及ぼすこともない。
【００１８】
本発明は、上述しかつ図面に示した形態に限定されるものでなく、その要旨を逸脱しない範囲内で種々の変形実施が可能である。
【００１９】
スリット孔１４の幅ｄはあまり大きくするとホルダ２の両側面部２ａ，２ａの強度が低下するので、幅ｄをなるべく狭くなるように設計段階において調整するようにする。
【００２０】
また、スリット孔１４の長さｅは２次共振の節２ｂ，２ｂにできるだけ接近させる方がよいが、この場合もあまり接近させると両側面部２ａ，２ａと対物レンズ８を搭載しているホルダ部分との連接部分が細くなり過ぎて強度が低下するので、ホルダの設計段階において調整すればよい。
【００２１】
【発明の効果】
以上説明したように本発明の光ピックアップ装置によれば、２軸アクチュエータのホルダの両側面部と対物レンズとの間のホルダ部分に貫通するスリット孔を形成し、スリット孔が２次共振の振動の節に近接する孔長さを有するようにしたことによって、この節が２次共振の振動の影響を受けない部分であることから、ホルダの両側面部に発生する２次共振による振動が対物レンズを搭載したホルダに伝わらない構成にすることができ、対物レンズの振動を効果的に、かつ確実に抑えることができる。これによって、ホルダの重量を増加させることなく対物レンズの振動を効果的に抑えることができ、２軸アクチュエータの感度及び性能の向上が図れ、例えば、ＣＤ−ＲＯＭ等の超小型化したマイクロ２軸アクチュエータに適用して極めて好適である。
【００２２】
また、本発明の光ピックアップ装置によれば、２軸アクチュエータのホルダの両側面部と対物レンズとの間のホルダ部分に貫通するスリット孔を形成し、スリット孔を２次共振の振動の腹の中心部に対応するように形成したことで、ホルダの両側面部の２次共振による振動をスリット孔によって効率的に遮断することができる。
【００２３】
さらに、本発明の記録／再生装置によれば、２軸アクチュエータのホルダの両側面部と対物レンズとの間のホルダ部分に貫通するスリット孔を形成し、スリット孔が２次共振の振動の節に近接する孔長さを有するようにしたことによって、この節が２次共振の振動の影響を受けない部分であることから、ホルダの両側面部に発生する２次共振の振動が対物レンズを搭載したホルダに伝わらない構成にすることができ、対物レンズの振動を効果的に、かつ確実に抑えることができる。また、ホルダの重量を増加させることなく対物レンズの振動を効果的に抑えることができるため、感度及び性能が高く超小型化したマイクロ２軸アクチュエータを備えた記録／再生装置とすることができる。
さらにまた、本発明の記録／再生装置によれば、２軸アクチュエータのホルダの両側面部と対物レンズとの間のホルダ部分に貫通するスリット孔を形成し、スリット孔を２次共振の振動の腹の中心部に対応するように形成したことで、ホルダの両側面部の２次共振による振動をスリット孔によって効率的に遮断することができる。
【図面の簡単な説明】
【図１】本発明の光ピックアップ装置における２軸アクチュエータの組み立て状態の斜視図である。
【図２】スリット孔を形成したときのホルダに受ける２次共振による振動のメカニズムである。
【図３】従来の２軸アクチュエータの組み立て状態の斜視図である。
【図４】スリット孔のないホルダに受ける２次共振による振動のメカニズムである。
【符号の説明】
１  ２軸アクチュエータ、２  ホルダ、２ａ  ホルダの両側面部、２ｂ  ２次共振の節、ａ  ２次共振の腹、３  フォーカスコイル、５  トラッキングコイル、８  対物レンズ、９，１０  サスペンション、１２  固定ブロック、１４  スリット孔
【図１】
0003711722.tif 000002
【図２】
0003711722.tif 000003
【図３】
0003711722.tif 000004
【図４】
0003711722.tif 000005